(57)【要約】【課題】本発明は、断熱部材の交換作業を容易にすることができる外断熱工法床体の断熱構造およびその施工法を提供することを課題とする。【解決手段】床体１の断熱構造は、コンクリート層１１と、このコンクリート層１１上に載置される断熱部材１２を主に備えている。そして、この床体１の断熱構造には、断熱部材１２上に載置される乾式パネル１４と、断熱部材１２の側面１２ａを保護するアングル１３とが設けられている。【選択図】図２
2007198114.tif 000002
【特許請求の範囲】
【請求項１】
コンクリート層と、このコンクリート層上に載置される断熱部材とを備えた外断熱工法床体の断熱構造であって、
前記断熱部材上に載置される乾式パネルと、
前記断熱部材の側面を保護する側面保護部材とを備えたことを特徴とする外断熱工法床体の断熱構造。
【請求項２】
前記側面保護部材は、
前記断熱部材の上面または下面に当接する横壁と、
前記断熱部材の側面に当接する縦壁とを有したアングルであることを特徴とする請求項１に記載の外断熱工法床体の断熱構造。
【請求項３】
前記側面保護部材は、
前記断熱部材の側面に当接した状態で、前記コンクリート層上に設けられる化粧ブロックであることを特徴とする請求項１に記載の外断熱工法床体の断熱構造。
【請求項４】
前記アングルは、前記断熱部材の側面と上面とで形成される角部に合致するように取り付けられるとともに、
前記アングルの縦壁の下縁は、前記アングルが前記断熱部材に取り付けられた状態において、前記断熱部材の下面から所定距離離れるように形成されていることを特徴とする請求項２に記載の外断熱工法床体の断熱構造。
【請求項５】
前記断熱部材または前記乾式パネルは、複数に分割されて構成されていることを特徴とする請求項１〜請求項４のうちのいずれか１項に記載の外断熱工法床体の断熱構造。
【請求項６】
コンクリート層上に断熱部材を載置する工程と、
前記断熱部材の側面に沿うように側面保護部材を配設する工程と、
前記断熱部材上に乾式パネルを載置する工程とを備えたことを特徴とする外断熱工法床体の施工法。
【発明の詳細な説明】
【技術分野】
【０００１】
本発明は、外断熱工法床体の断熱構造およびその施工法に関する。
【背景技術】
【０００２】
一般に、室内の温度変化を抑制するための建築物の施工法として、コンクリート躯体の周りを断熱部材で包むといった外断熱工法が知られている。このような外断熱工法が適用された壁の構造としては、従来、二枚のコンクリート層の間に断熱部材を設けた構造が知られている（特許文献１参照）。この構造では、断熱部材の上から湿式工法によりコンクリート層を施工するため、コンクリート層の乾燥硬化により、断熱部材とコンクリート層とが強固に固着された状態となっている。なお、この構造は、建物の横壁であるが、このような構造をベランダ等の床体に採用することも考えられている。
【特許文献１】特開２００２−３３９４５１号公報（図１）
【発明の開示】
【発明が解決しようとする課題】
【０００３】
ところで、床体に断熱部材を設ける構造では、床体に浸み込む雨水等により断熱部材が経年劣化することが考えられるため、断熱部材を交換できる構造が望まれている。しかしながら、前記した従来技術を床体に採用した場合には、断熱部材の上にコンクリート層が強固に固着されているため、仮に断熱部材が経年劣化したときには、断熱部材の上のコンクリート層を破壊しなければならず、断熱部材の交換作業が煩雑になるといった問題が予想される。
【０００４】
そこで、本発明は、断熱部材の交換作業を容易にすることができる外断熱工法床体の断熱構造およびその施工法を提供することを課題とする。
【課題を解決するための手段】
【０００５】
前記課題を解決する本発明は、コンクリート層と、このコンクリート層上に載置される断熱部材とを備えた外断熱工法床体の断熱構造であって、前記断熱部材上に載置される乾式パネルと、前記断熱部材の側面を保護する側面保護部材とを備えたことを特徴とする。なお、この外断熱工法床体の施工法としては、コンクリート層上に断熱部材を載置する工程と、前記断熱部材の側面に沿うように側面保護部材を配設する工程と、前記断熱部材上に乾式パネルを載置する工程とを備えていればよい。
【０００６】
ここで、「外断熱工法床体」とは、外断熱工法が適用される床体をいう。また、「乾式パネル」とは、施工現場でモルタル等の水を含んだ材料を使用しない乾式工法に使用するパネルをいう。
【０００７】
本発明によれば、断熱部材上に乾式パネルを載置するだけなので、断熱部材が経年劣化した場合には、乾式パネルを単に取り外すだけで、簡単に断熱部材を交換することができる。なお、側面保護部材が例えば断熱部材の角部に取り付けられる断面視Ｌ字状のアングルである場合には、アングルを断熱部材と一緒に取り外した後、新しい断熱部材に付け替えればよい。また、側面保護部材が例えば断熱部材の側面に沿って配設される化粧ブロックである場合には、化粧ブロックを動かさずに断熱部材のみを取り外すか、あるいは、化粧ブロックの位置をずらした後で断熱部材を取り外せばよい。
【発明の効果】
【０００８】
本発明によれば、乾式パネルを取り外すだけで断熱部材を取り出すことができるので、断熱部材の交換作業を容易にすることができる。
【発明を実施するための最良の形態】
【０００９】
［第１の実施形態］
次に、本発明の第１の実施形態について、適宜図面を参照しながら詳細に説明する。参照する図面において、図１は、第１の実施形態に係る床体の断熱構造を示す断面図である。また、図２は、図１のＸ部分の拡大図であり、分解した状態を示す断面図（ａ）と、完成後の状態を示す断面図（ｂ）である。
【００１０】
図１に示すように、ベランダの床を構成する床体（外断熱工法床体）１の断熱構造は、コンクリート層１１と、断熱部材１２と、側面保護部材としてのアングル１３と、乾式パネル１４とを備えて構成されている。
【００１１】
コンクリート層１１は、建物の外周壁から外側へ突出するように形成された層であり、その上面の外側には、図２（ａ）に示すように、排水溝１１ａが形成されている。また、コンクリート層１１の上面全体には、ウレタンが塗布されることによって防水用のウレタン層１５が形成されている。
【００１２】
断熱部材１２は、押出成形により形成されたポリスチレンボードであり、コンクリート層１１上（排水溝１１ａを除く）に載置されるようになっている。なお、この断熱部材１２は、一枚で構成されていてもよいし、複数に分割されて構成されていてもよいが、複数に分割した場合には、持ち運びやすく、かつ、取り付けやすいというメリットがある。
【００１３】
アングル１３は、断熱部材１２の露出する側面１２ａを保護するアルミ製の部材であり、断熱部材１２の側面１２ａに当接する縦壁１３ａと、断熱部材１２の上面１２ｂに当接する横壁１３ｂとによって断面視Ｌ字状に形成されている。そして、このアングル１３は、断熱部材１２の側面１２ａと上面１２ｂとで形成される角部に合致するように取り付けられることで、その縦壁１３ａが断熱部材１２の側面１２ａの略全体を覆うようになっている。
【００１４】
また、図２（ｂ）に示すように、このアングル１３は、断熱部材１２に取り付けられた状態において、その縦壁１３ａの下縁１３ｃが、断熱部材１２の下面１２ｃから所定距離離れるように形成されている。そのため、アングル１３の下縁１３ｃとコンクリート層１１（詳しくは、ウレタン層１５）との間に、所定の隙間が形成されるようになっている。
【００１５】
乾式パネル１４は、例えば正方形のブロックを所定の溝を介して縦横に並べたような表面形状を有する化粧平板ブロックであり、断熱部材１２上に載置されるようになっている。なお、この乾式パネル１４は、一枚で構成されていてもよいし、複数に分割されて構成されていてもよいが、複数に分割した場合には、持ち運びやすく、かつ、取り付けやすいというメリットがある。
【００１６】
次に、床体１の施工法について説明する。
【００１７】
図２（ａ）に示すように、まず、コンクリート層１１上に断熱部材１２を載置する。次に、断熱部材１２の側面１２ａに沿うように、アングル１３を断熱部材１２の角部に合わせた後、粘着テープなどによって断熱部材１２に固定する。そして、最後に、断熱部材１２の上に乾式パネル１４を載置することで、床体１の施工が完了する。
【００１８】
以上によれば、第１の実施形態において以下のような効果を得ることができる。
【００１９】
断熱部材１２上に乾式パネル１４を載置するだけなので、断熱部材１２が経年劣化した場合には、乾式パネル１４を単に取り外すだけで、簡単に断熱部材１２を交換することができる。
【００２０】
なお、アングル１３を粘着テープによって断熱部材１２に固定した場合は、断熱部材１２の交換の際に、断熱部材１２から簡単にアングル１３を取り外して、新たな断熱部材１２に簡単に付け替えることができる。そのため、このようにアングル１３の固定に粘着テープを使用した場合は、断熱部材１２の交換作業をより簡単にすることができる。
【００２１】
断熱部材１２の側面１２ａを保護する部材としてアングル１３を採用することにより、乾式パネル１４で隠れる横壁１３ｂを粘着テープ等により厳重に固定すればよいので、見栄えを気にすることなく、アングル１３を断熱部材１２に強固に固定できる。
【００２２】
アングル１３の下縁１３ｃが断熱部材１２の下面１２ｃから所定距離離れるように形成されているので、仮に乾式パネル１４の下側に水が浸入した場合であっても、その水をアングル１３の下縁１３ｃとウレタン層１５との間の隙間から外部に排出できる。
【００２３】
［第２の実施形態］
次に、本発明の第２の実施形態について、適宜図面を参照しながら詳細に説明する。なお、本実施形態は、前記した第１の実施形態の構造の一部を変更したものであるため、第１の実施形態と同様の構成要素については、同一符号を付し、その説明を省略することとする。参照する図面において、図３は、第２の実施形態に係る床体の断熱構造を示す部分拡大図であり、完成後の状態を示す断面図（ａ）と、図３（ａ）のＹ−Ｙ断面図（ｂ）である。
【００２４】
図３（ａ）に示すように、第２の実施形態に係る床体１’の断熱構造は、第１の実施形態におけるアングル１３の代わりに、側面保護部材として矩形の化粧ブロック２１を備えた構造となっている。具体的に、この化粧ブロック２１は、第１の実施形態と略同様に形成される断熱部材１２および乾式パネル１４の各側面１２ａ，１４ａに当接した状態で、コンクリート層１１上（詳しくは、ウレタン層１５上）に載置されるようになっている。
【００２５】
また、この化粧ブロック２１は、図３（ｂ）に示すように、その両端部が、中央部よりも低く形成されるとともに、その下面の適所に、排水用の溝部２１ａが形成された構造となっている。
【００２６】
次に、床体１’の施工法について説明する。
【００２７】
図３（ａ）に示すように、まず、コンクリート層１１上に、断熱部材１２および乾式パネル１４を順次載置していく。そして、最後に、断熱部材１２および乾式パネル１４の各側面１２ａ，１４ａに沿うように、複数の化粧ブロック２１を配設することで（図３（ｂ）参照）、床体１’の施工が完了する。
【００２８】
以上によれば、第２の実施形態において以下のような効果を得ることができる。
【００２９】
化粧ブロック２１の両端部が低く形成されているので、断熱部材１２の交換の際には、その低くなった部分から乾式パネル１４に指が引っ掛かりやすくなる。したがって、その交換作業がより簡単となる。
【００３０】
化粧ブロック２１の適所に排水用の溝部２１ａを設けたので、仮に乾式パネル１４の下側に水が浸入した場合であっても、その水を各溝部２１ａから外部に排出できる。
【００３１】
なお、本発明は前記各実施形態に限定されることなく、以下に例示するように様々な形態で利用できる。
【００３２】
前記各実施形態では、断熱部材としてポリスチレンボードを採用したが、本発明はこれに限定されるものではなく、適宜変更可能である。
【００３３】
第１の実施形態では、アングル１３の横壁１３ｂを断熱部材１２の上面１２ｂに固定したが、本発明はこれに限定されず、断熱部材１２の下面１２ｃまたはコンクリート層１１に固定してもよい。ただし、この場合は、乾式パネル１４の下側に浸入した水を排出するために、複数のアングル１３を所定の隙間を空けつつ配設するのが望ましい。
【図面の簡単な説明】
【００３４】
【図１】第１の実施形態に係る床体の断熱構造を示す断面図である。
【図２】図１のＸ部分の拡大図であり、分解した状態を示す断面図（ａ）と、完成後の状態を示す断面図（ｂ）である。
【図３】第２の実施形態に係る床体の断熱構造を示す部分拡大図であり、完成後の状態を示す断面図（ａ）と、図３（ａ）のＹ−Ｙ断面図（ｂ）である。
【符号の説明】
【００３５】
１      床体
１１    コンクリート層
１２    断熱部材
１２ａ  側面
１２ｂ  上面
１２ｃ  下面
１３    アングル（側面保護部材）
１３ａ  縦壁
１３ｂ  横壁
１３ｃ  下縁
１４    乾式パネル
１４ｃ  下面
１５    ウレタン層
２１    化粧ブロック（側面保護部材）
【図１】
2007198114.tif 000003
【図２】
2007198114.tif 000004
【図３】
2007198114.tif 000005